(57)【特許請求の範囲】
【請求項１】
パネルを保持する脚本体と、この脚本体に対して旋回可能に設けられた脚羽根と、この脚羽根を前記脚本体に対して所定の旋回位置に節度停止させるための節度機構とを具備してなるパネル支持脚であって、
前記節度機構が、前記脚本体及び脚羽根のいずれか一方に設けられ複数の節度凹部を有するとともに前記節度凹部を含み環状をなすカム面を備えたカム体と、他方に設けられ前記カム面の内側に旋回軸心を囲うようにして配された状態で前記脚羽根の前記脚本体に対する旋回にともなって前記節度凹部に選択的に係わり合う節度子とを備えたものであるパネル支持脚。
【請求項２】
前記脚本体が、摺接面を前記脚羽根の摺接面に突き合わせた状態で前記脚羽根の上に配された底盤部と、この底盤部から上方に突出する対をなす起立部とを備えたものであり、これら起立部間に前記パネルの下端部を保持する保持溝が形成されている請求項１記載のパネル支持脚。
【請求項３】
前記カム体が、一面側に前記摺接面を有しその一面側から他面側に貫通する貫通口を有する盤状のものであり、前記貫通口の内周に前記節度凹部を含む前記カム面が形成されている請求項１又は２記載のパネル支持脚。
【請求項４】
前記カム面が、前記脚羽根の旋回軸心回りに一定のピッチで配された前記複数の節度凹部と、これらの節度凹部間にそれぞれ配され前記節度凹部間を移動する前記節度子を案内する案内部とを備えたものであり、前記各案内部と前記旋回軸心との最短距離が、前記各節度凹部と前記旋回軸心との最短距離よりも短く設定されている請求項３記載のパネル支持脚。
【請求項５】
前記カム体が、前記各案内部の外側に当該案内部が形成されている部位の前記旋回軸心から遠ざかる方向への弾性変形を助長するための空洞を備えたものである請求項４記載のパネル支持脚。
【請求項６】
前記節度機構が、前記脚本体及び脚羽根のいずれか一方に設けられ複数の節度凹部を有するカム体と、他方に設けられ前記脚羽根の前記脚本体に対する旋回にともなって前記節度凹部に選択的に係わり合う節度子とを備えたものであって、
前記カム体と前記節度子とを部材の弾性変形を利用して係合させることにより、前記脚本体に前記脚羽根を取り付けている請求項１、２、３、４又は５記載のパネル支持脚。
【請求項７】
前記脚本体が、その底部に複数の節度凹部を有するカム体を備えたものであり、前記脚羽根が、その中央部に前記脚羽根の前記脚本体に対する旋回にともなって前記節度凹部に選択的に係わり合う節度子を備えたものである請求項１、２、３、４、５又は６記載のパネル支持脚。
【発明の詳細な説明】
【技術分野】
【０００１】
本発明は、オフィス等において好適に用いられるパネル支持脚に関する。
【背景技術】
【０００２】
近時、組織変更や人数増減によるレイアウト変更にスピーディーに対応可能であり、また、固定席やフリーアドレス、ミーティングテーブルなど様々な用途にも対応可能なテーブルが開発されている。ところが、このようなテーブルにオプションとしてデスクトップパネルやサイドパネル等を取り付けた場合、そのテーブルの使用態様変更に支障が生じることがある。
【０００３】
すなわち、従来のデスクトップパネルやサイドパネル等は、クランプ等の固定具を用いてテーブルに取り付けられるのが一般的であるため、テーブルの使用態様変更の際に前記デスクトップパネル等の取り外しや取り付けに手間が掛かることが少なくない。
【０００４】
なお、天板上にパネル支持脚を介してパネルを載置するだけのものも存在する（例えば、特許文献１を参照）。しかし、従来のパネル支持脚は、脚本体に脚羽根が固定した状態で取り付けられており、脚羽根はパネルの表面に対して直交した姿勢で設けられている。このようなパネル支持脚を取り付けたパネルをそのまま収納すると嵩が高くなり、収納効率が低くなるという問題がある。そのため、従来のものはパネル収納時には脚羽根を取り外しておくことが多いが、収納時及び再使用時における脚羽根の着脱の手間が面倒であると感じられることがある。
【０００５】
また、以上説明した事情は、天板上で使用するパネルに使用するパネル支持脚に限らず、ついたて等の床面に設置されるパネルを支持するパネル支持脚にも同様に当てはまるものである。
【先行技術文献】
【特許文献】
【０００６】
【特許文献１】特開２０１１−１１５２０５号公報
【発明の概要】
【発明が解決しようとする課題】
【０００７】
本発明は、パネルの収納時に発生する不具合を解消することができるパネル支持脚を提供することを目的とする。
【課題を解決するための手段】
【０００８】
以上の課題を解決すべく、本発明に係るパネル支持脚は、以下に述べるような構成を有する。すなわち本発明に係るパネル支持脚は、パネルを保持する脚本体と、この脚本体に対して旋回可能に設けられた脚羽根と、この脚羽根を前記脚本体に対して所定の旋回位置に節度停止させるための節度機構とを具備してなるものであって、前記節度機構が、前記脚本体及び脚羽根のいずれか一方に設けられ複数の節度凹部を有するとともに前記節度凹部を含み環状をなすカム面を備えたカム体と、他方に設けられ前記カム面の内側に旋回軸心を囲うようにして配された状態で前記脚羽根の前記脚本体に対する旋回にともなって前記節度凹部に選択的に係わり合う節度子とを備えたものである。
【０００９】
このようなものであれば、パネルを支持する脚本体に対して脚羽根を旋回させ、節度機構により所定の位置に停止させておくことができるので、パネル支持脚をパネルから取り外さなくとも、脚羽根のパネルからの突出幅を小さくし、収納効率の向上を図ることが可能となる。
また、前記節度機構が、前記脚本体及び脚羽根のいずれか一方に設けられ複数の節度凹部を有するとともに前記節度凹部を含み環状をなすカム面を備えたカム体と、他方に設けられ前記カム面の内側に旋回軸心を囲うようにして配された状態で前記脚羽根の前記脚本体に対する旋回にともなって前記節度凹部に選択的に係わり合う節度子とを備えたものであるので、このような節度機構を容易に実現することができる。
【００１０】
なお、本発明において、「パネル」とは、板状物品であればどのようなものでもよく、例えば、デスクトップパネル、サイドパネル、ホワイトボード、掲示板、衝立等が含まれる。
【００１１】
前記脚本体の具体的な構成の一例として、摺接面を前記脚羽根の摺接面に突き合わせた状態で前記脚羽根の上に配された底盤部と、この底盤部から上方に突出する対をなす起立部とを備え、これら起立部間に前記パネルの下端部を保持する保持溝が形成されているものが挙げられる。
【００１３】
前記節度機構を構成する前記カム体の具体的な構成の一例として、一面側に前記摺接面を有しその一面側から他面側に貫通する貫通口を有する盤状のもので、さらに前記貫通口の内周に前記節度凹部を含む前記カム面が形成されているものが挙げられる。
【００１４】
前記カム面の具体的な構成の一例として、前記脚羽根の旋回軸心回りに一定のピッチで配された前記複数の節度凹部と、これらの節度凹部間にそれぞれ配され前記節度凹部間を移動する前記節度子を案内する案内部とを備え、前記各案内部と前記旋回軸心との最短距離が、前記各節度凹部と前記旋回軸心との最短距離よりも短く設定されているものが挙げられる。
【００１５】
特に、前記カム体が、前記各案内部の外側に、当該案内部が形成されている部位の前記旋回軸心から遠ざかる方向への弾性変形を助長するための空洞を備えたものであれば、前記案内部が弾性変形することにより前記節度子の移動が許容されるので、簡単な構成で前記節度子の移動方向を案内しつつ前記節度子をいずれかの節度凹部に選択的に係り合わせる構成を実現できる。
【００１６】
一方、前記節度機構が、前記脚本体及び脚羽根のいずれか一方に設けられ複数の節度凹部を有するカム体と、他方に設けられ前記脚羽根の前記脚本体に対する旋回にともなって前記節度凹部に選択的に係わり合う節度子とを備えたものである場合に、部品点数を削減することができるとともに、組立工数を無理なく低減させるようにするための好適な構成の一例として、前記カム体と前記節度子とを部材の弾性変形を利用して係合させることにより、前記脚本体に前記脚羽根を取り付けているものが挙げられる。
【００１７】
本発明における、複数の節度凹部を有するカム体、及び前記脚羽根の前記脚本体に対する旋回にともなって前記節度凹部に選択的に係わり合う節度子の設置態様の一例として、前記脚本体が、その底部に前記カム体を備え、前記脚羽根が、その中央部に前記節度子を備えているものが挙げられる。
【発明の効果】
【００１８】
本発明に係るパネル支持脚の構成によれば、パネルを支持する脚本体に対して脚羽根を旋回させて所定の位置に停止させておくことができるので、パネルの収納時に発生する不具合を解消することができる。
【図面の簡単な説明】
【００１９】
【図１】本発明の第一の実施形態を示す全体斜視図。
【図２】同実施形態に係るパネル支持脚を示す斜視図。
【図３】同実施形態に係るパネル支持脚を示す正面図。
【図４】同実施形態に係るパネル支持脚を一部省略して示す平面図。
【図５】同実施形態に係るパネル支持脚を示す側面図。
【図６】同実施形態に係るパネル支持脚を一部省略して示す底面図。
【図７】図３におけるＡ−Ａ断面図。
【図８】図７におけるＢ−Ｂ線に対応する拡大断面図。
【図９】図７におけるＣ−Ｃ線に対応する拡大断面図。
【図１０】図７におけるＤ−Ｄ線に対応する拡大断面図。
【図１１】同実施形態に係るパネル支持脚を示す分解斜視図。
【図１２】同実施形態に係るパネル支持脚を示す底面側分解斜視図。
【図１３】同実施形態に係るパネル支持脚の作動を説明するための図１０に相当する断面図。
【図１４】同実施形態に係るパネル支持脚の設置態様を示す斜視図。
【図１５】本発明の第二の実施形態に係るパネル支持脚を示す図７に準じた断面図。
【図１６】図１５におけるＥ−Ｅ線に対応する拡大断面図。
【図１７】同実施形態に係るパネル支持脚を示す分解斜視図。
【図１８】同実施形態に係るパネル支持脚を示す底面側分解斜視図。
【図１９】本発明の他の実施形態を示す図１０に相当する断面図。
【図２０】本発明のさらに他の実施形態を示す図１０に相当する断面図。
【発明を実施するための形態】
【００２０】
本発明の第一の実施形態を、図１〜図１４を参照しつつ以下に述べる。
【００２１】
本実施形態のパネル支持脚Ｌは、移動可能なテーブル等の天板上においてデスクトップ用のパネルＰを支持するために使用される。このパネル支持脚Ｌは、図１〜図１３に示すように、前記パネルＰを保持する脚本体１と、この脚本体１に対して旋回可能に設けられた脚羽根２と、この脚羽根２を前記脚本体１に対して所定の旋回位置に節度停止させるための節度機構３とを具備してなる。
【００２２】
前記脚本体１は、前記パネルＰの厚み寸法よりも若干径の大きな仮想切頭円錐形に内接する形状をなす。この脚本体１は、図３、図５、図７及び図１１に示すように、下端に形成された摺接面１ａを前記脚羽根２の上面に形成された摺接面２ａに突き合わせた状態で前記脚羽根２の上に配された底盤部１１と、この底盤部１１から上方に突出する対をなす起立部１２とを備えたものである。これら対をなす起立部１２間に前記パネルＰの下端部を保持する保持溝１ｍが形成されている。
【００２３】
前記底盤部１１は、図２、図４、図７及び図１１に示すように、底壁をなす円盤状の下層部分１１１と、この下層部分１１１の上面における周縁に形成された上層部分１１２とを備えたものであり、その軸心を前記脚羽根２の旋回軸心に一致させている。この底盤部１１の下層部分１１１が前記節度機構３の後述するカム体３１をなしている。そして、この下層部分１１１すなわちカム体３１の中心領域には、図４及び図７〜図１０に示すように、前記摺接面１ａから上面に貫通する貫通口３１１が形成されている。さらに、この底盤部１１の下面すなわち前記摺接面１ａには、図１２に示すように、前記旋回軸心を中心として円環状の案内溝１１３が形成されている。また、前記底盤部１１の上層部分１１２の上面には、前記パネルＰの下端に突き刺さる位置決め突起１１２ａが突設されている。
【００２４】
前記起立部１２は、パネルＰの下端部を挟持すべく起立させたもので、図２、図５、図７及び図１１に示すように、前記保持溝１ｍに臨む対向面１２ａにはパネルＰのがたつきや脱落を防止するためのがた止め突起１２１が形成されている。このがた止め突起１２１は、パネルＰの挿入を容易にしつつパネルＰの上方への抜脱を抑制すべく、下方に向かうにつれ前記対向面１２ａからの突出幅が大きくなる形状を有している。
【００２５】
前記脚羽根２は、図１〜図１３に示すように、前記脚本体１の底盤部１１を支持する中央部２１と、この中央部２１から外方に延びる羽根部２２とを備えたものである。前記中央部２１は、前記底盤部１１に対応した円盤状をなすもので、その上面に前記脚本体１の下端に摺接する摺接面２ａを備えている。この摺接面２ａには、図１１に示すように、前記案内溝１１３に摺動可能に嵌合する円環状の案内突条２１１が形成されている。すなわち、この案内突条２１１を前記案内溝１１３に摺動可能に嵌合させることにより、この脚羽根２が、前記脚本体１に対して前記旋回軸心回りに旋回しうるようになっている。
【００２６】
前記節度機構３は、図４、図８、図９及び図１０に示すように、前記脚本体１に設けられ複数の節度凹部３１３を有する前記カム体３１と、前記脚羽根２に設けられ該脚羽根２の前記脚本体１に対する旋回にともなって前記節度凹部３１３に選択的に係わり合う節度子３２とを備えたものである。
【００２７】
前記カム体３１は、図７〜図１０に示すように、一面側に前記摺接面１ａを有しその一面側から他面側に貫通する前記貫通口３１１を有する盤状のものである。このカム体３１は、前述したように、脚本体１の底盤部１１の下層部分１１１を兼ねている。また、前記貫通口３１１の内周には、前記節度凹部３１３を含むカム面３１２が形成されている。すなわち、前記カム面３１２は、前記脚羽根２の旋回軸心回りに一定のピッチで配された複数、具体的には４つの前記節度凹部３１３と、これらの節度凹部３１３間にそれぞれ形成された案内部３１４とを備えたものである。前記案内部３１４は、前記節度凹部３１３間を移動する前記節度子３２を案内するもので、その中央部が最も旋回軸心Ｃに接近するように湾曲した形状を有している。前記各案内部３１４と前記旋回軸心Ｃとの最短距離は、前記各節度凹部３１３と前記旋回軸心Ｃとの最短距離よりも短く設定されている。さらに、前記カム体３１は、前記各案内部３１４の外側に、当該案内部３１４が形成されている部位が弾性変形しつつ前記旋回軸心Ｃから遠ざかる方向に移動するのを助長するための空洞３１５を備えている。
【００２８】
前記節度子３２は、図７〜図１１に示すように、前記脚羽根２の中央部２１、より具体的には前記摺接面１ａにおける案内突条２１１の内側に突設されたものである。この節度子３２は、上端に矢尻部３２２を有した爪状のもので、前記旋回軸心Ｃを囲うようにして４本の節度子３２が一定のピッチで配されている。詳述すれば、節度子３２は、前記カム面３１２に摺接して前記節度凹部３１３のいずれかに選択的に係わり合う略角柱状をなす節度子本体３２１と、この節度子本体３２１の上端に設けられ基端部が節度子本体３２１の外面よりも外方に突出するとともに上端部が尖った形状を有する前記矢尻部３２２とを備えたものである。前記矢尻部３２２は、前記カム体３１の上面に係わり合って前記脚羽根２が前記脚本体１から離脱することを抑制している。そして、部材の弾性変形を利用してこの節度子３２と前記カム体３１とを係合させることにより、前記脚本体１に前記脚羽根２を取り付けるように構成している。
【００２９】
以上説明したようなパネル支持脚ＬをパネルＰの下端部における両端近傍部分にそれぞれ取り付けることによって、図１に示すように、このパネルＰを例えば前記テーブルＴの天板Ｔ１上に起立姿勢で載置することが可能になる。
【００３０】
前記テーブルＴは、図１４に示すように、平面視正方形状をなし、中央部２１に平面視正方形をなす配線挿通窓Ｔ１１を有した天板Ｔ１と、この天板Ｔ１を移動可能に支持する図示しない脚体とを備えたもので、前記パネル支持脚Ｌは、主として前記配線挿通窓Ｔ１１を挟んで両側にそれぞれ載置した状態で使用される。前記配線挿通窓Ｔ１１には、一対の配線カバーＴ１２、Ｔ１３が開閉可能に配されている。これらの配線カバーＴ１２、Ｔ１３は、回動端Ｔ１２ａ、Ｔ１３ａを背反させて配された図示しない外開き態様と、回動端Ｔ１２ａ、Ｔ１３ａ同士を向かい合わせて配される図１及び図１４に示すような内開き態様とを選択的に採り得るようにして前記配線挿通窓Ｔ１１に対して着脱可能に取り付けられている。なお、前記外開き態様においては、閉じた状態で、前記配線カバーＴ１２、Ｔ１３と前記配線挿通窓Ｔ１１の開口縁との間に、平面視略環状をなすように隙間が形成され、前記内開き態様においては、平面視略Ｈ形をなすように隙間Ｔ１４、Ｔ１５が形成されるようになっている。
【００３１】
次いで、このパネル支持脚Ｌの作動について説明する。
【００３２】
図１に示すようにパネルＰを支持する場合には、図１０に示すように、前記節度子３２が各節度凹部３１３に係わり合って安定している姿勢、すなわち脚羽根２がパネルＰに対して直交する姿勢、さらに換言すれば前記保持溝１ｍが開口する方向に直交する方向に伸びる姿勢で使用される。
【００３３】
この状態から、脚羽根２を脚本体１に対して水平旋回させていくと、各節度子３２が対応する節度凹部３１３から外れて案内部３１４を押圧しつつ移動する。その際、前記案内部３１４が形成されている部位は、図１３に示すように、外方すなわち空洞３１５が形成されている側の方向に向けて弾性変形しつつ前記節度子３２の移動を許容することになる。そして、節度子３２が隣の節度凹部３１３に達した段階でカム体３１や節度子３２の弾性変形が極小となり、前記脚羽根２がその位置で節度停止し、安定保持されることになる。従って、パネルＰを収納する場合などには、図１４に示すように、各脚羽根２を、パネルＰに対して平行となる姿勢、つまり前記保持溝１ｍが開口する方向と平行な方向に伸びる姿勢となる位置まで旋回させて保持させることにより、パネル支持脚Ｌを取り外すことなく、パネルＰを効率よく収納することが可能となる。
【００３４】
このような構成のものであれば、脚羽根２を脚本体１に対して異なった姿勢に旋回させて安定保持させることができる。そのため、使用する場合と収納する場合とで脚羽根２の節度停止位置を変更することにより、それぞれの場合に適した姿勢をとらせることができ、使用時の支持性能のみならず、収納の際の収納効率等も無理なく向上させることができる。また、このパネル支持脚ＬをパネルＰから取り外すことなく収納しておけば、再度使用する際に、迅速に対応することが可能となり、パネルＰから分離させたパネル支持脚Ｌが分離して紛失するような不具合の発生も防止できる。
【００３５】
また、以上説明した実施形態においては、節度機構３を構成するカム体３１と節度子３２とを利用して前記脚羽根２を前記脚本体１に取り付けることができるようにしているので、部品点数を削減することができるとともに、組立工数を無理なく低減させることが可能になる。
【００３６】
さらに、脚本体１の対をなす起立部１２間にパネルＰの下端部を支持する保持溝１ｍを形成しているので、この保持溝１ｍにパネルＰを挿入する簡単な操作によりパネルＰにパネル支持脚Ｌを取り付けることができる。
【００３７】
加えて、脚本体１に設けられた節度凹部３１３を有するカム体３１と、脚羽根２に設けられ該脚羽根２の脚本体１に対する旋回に伴って前記節度凹部３１３に選択的に係わり合う節度子３２とを利用して節度機構３を構成しているので、節度子３２をいずれかの節度凹部３１３に係わり合わせるという簡単な構成により、脚羽根２を、パネルＰに対して直交する姿勢又はパネルＰに対して平行となる姿勢のいずれかに節度停止させるようにすることができる。
【００３８】
その上、前記カム体３１の貫通口３１１の内周に前記節度凹部３１３及び前記案内部３１４を含むカム面３１２を形成しているとともに、前記貫通口３１１の内側に前記節度子３２を配しているので、脚羽根２を脚本体１に対して旋回させるときに前記カム面３１２の案内部３１４を利用して節度子３２を案内する構成を簡単な構成で実現できる。
【００３９】
そして、前記各案内部３１４と前記旋回軸心Ｃとの最短距離が、前記各節度凹部３１３と前記旋回軸心との最短距離よりも短く設定されているとともに、前記カム体３１が、前記各案内部３１４の外側に当該案内部３１４が形成されている部位の前記旋回軸心から遠ざかる方向すなわち外方への弾性変形を助長するための空洞３１５を備えているので、脚羽根２を脚本体１に対して旋回させるときに、前記カム体３１の案内部３１４が外方に退避しつつ節度子３２を案内する構成を無理なく実現できる。
【００４０】
次いで、本発明の第二の実施形態について、図１５〜図１８を参照しつつ以下に述べる。
【００４１】
本実施形態のパネル支持脚ＬＬも、移動可能なテーブル等の天板上においてデスクトップ用のパネルＰを支持するために使用される。以下、第一の実施形態に係るパネル支持脚との相違点について述べる。なお、以下に述べる点以外は、前述した第一の実施形態に係るものに準じた構成を有するので、同一又は相当する部分に同一の符号を付して、詳細な説明は省略する。
【００４２】
本実施形態では、脚本体１の底盤部１１の上層部分１１２の上面が略平坦である。換言すれば、本実施形態では、前記パネルＰの下端に突き刺さる位置決め突起を設けていない。
【００４３】
脚羽根２は、図１５及び図１８に示すように、下面に肉盗み部２ｎを有するとともに、下面の長手方向両端近傍には接地体２３を備えている。
【００４４】
節度機構３は、図１６に示すように、４つの節度凹部３１３と、それら節度凹部３１３に選択的に係わり合う２つの節度子３２とを備えている。前記４つの節度凹部３１３を備えたカム面３１２は、第一の実施形態に係るものに準じた形状をなしている。一方、前記節度子３２は、図１６及び図１７に示すように、前記カム面３１２に摺接する部位が円筒面をなす半円筒体状のものである。
【００４５】
このような構成のものであれば、前述した第一の実施形態のパネル支持脚と同様な作用効果を得ることができるだけでなく、節度機構３の構造をシンプルなものにして、耐久性をより高めることが可能になる。
【００４６】
なお、前記実施形態においては、複数の節度子を相互に離間させて設けた場合について説明したが、図１９に示すパネル支持脚Ｌ２や、図２０に示すパネル支持脚Ｌ３のように、複数の節度子３２を一体に形成してもよい。また、節度子３２及び節度凹部３１３の数は、２個以上であれば何個でもよく、必要に応じて種々変更させることができる。図２０は、６個の節度子３２と６個の節度凹部３１３とを備えた例を示している。なお、前記図１９及び図２０を参照しつつ説明した前記パネル支持脚Ｌ２及びパネル支持脚Ｌ３は、上述した点以外、前記実施形態に係るパネル支持脚Ｌと同様の構成を有するので、同一又は相当する部分に同一の符号を付して、詳細な説明を省略する。
【００４７】
さらに、本発明は、以上に述べたような実施形態に限られるものではなく、種々の変形が考えられる。
【００４８】
例えば、前記実施形態においては、脚本体に複数の節度凹部を有するカム体を備えさせ、脚羽根に、該脚羽根の前記脚本体に対する旋回にともなって前記節度凹部に選択的に係わり合う節度子を備えさせる態様について説明したが、逆に、脚羽根に複数の節度凹部を有するカム体を備えさせ、脚本体に、該脚本体に対する前記脚羽根の旋回にともなって前記節度凹部に選択的に係わり合う節度子を備えさせる態様を採用してももちろんよい。
【００４９】
前記実施形態においては、脚本体が、パネルの厚み寸法よりも若干径の大きな仮想切頭円錐形に内接する形状をなす態様について説明したが、脚本体の形状は任意である。具体的な脚本体の形状として、例えば、パネルの厚み寸法よりも若干大きな寸法を有する仮想角柱形状又は仮想角錐体状に内接する形状をなすものが考えられる。
【００５０】
前記実施形態においては、脚本体が、節度機構のカム体を兼ねる底盤部と、この底盤部から上方に突出する１対の起立部とを備えたものであり、対をなす起立部間にパネルの下端部を保持する保持溝が形成されている態様について説明したが、脚本体の構成も任意である。具体的な脚本体の構成として、例えば、底盤部と、底盤部から上方に突出し互いに周方向に９０°離間する４本の起立部とを有し、起立部間の空間を、パネルの下端部を挿入させて該パネルを保持させるためのパネル挿入空間としているもの等が考えられる。
【００５１】
前記実施形態では、上述したように、カム体の貫通口の内周に節度凹部を含むカム面を形成し、前記貫通口の内側に前記節度子を配することにより、簡単な構成で、脚羽根を脚本体に対して旋回させるときに前記カム面の案内部を利用して節度子を案内できるようにしているが、カム体及び節度子の構成、形状及び配置も任意に設定してよい。より具体的には、前記実施形態では、簡単な構成で、脚羽根を脚本体に対して旋回させるときに前記カム面の案内部を利用して節度子を案内できるようにすべく、カム面の各案内部と旋回軸心との最短距離を、カム面の各節度凹部と旋回軸心との最短距離よりも短く設定しているとともに、前記カム体に、前記案内部が形成されている部位の前記旋回軸心から遠ざかる方向すなわち外方への弾性変形を助長するための空洞を備えているが、これ以外の構成を採用してももちろんよい。例えば、節度子の内側に、該節度子が弾性変形しつつ旋回軸心に近づくように移動することを助長するための空間を設ける態様を採用してもよい。
【００５２】
その他、本発明の趣旨を損ねない範囲で種々に変更してよい。
【符号の説明】
【００５３】
Ｌ、ＬＬ、Ｌ２、Ｌ３…パネル支持脚
１…脚本体
２…脚羽根
３…節度機構
【図１】
0006694573.tif 000002
【図２】
0006694573.tif 000003
【図３】
0006694573.tif 000004
【図４】
0006694573.tif 000005
【図５】
0006694573.tif 000006
【図６】
0006694573.tif 000007
【図７】
0006694573.tif 000008
【図８】
0006694573.tif 000009
【図９】
0006694573.tif 000010
【図１０】
0006694573.tif 000011
【図１１】
0006694573.tif 000012
【図１２】
0006694573.tif 000013
【図１３】
0006694573.tif 000014
【図１４】
0006694573.tif 000015
【図１５】
0006694573.tif 000016
【図１６】
0006694573.tif 000017
【図１７】
0006694573.tif 000018
【図１８】
0006694573.tif 000019
【図１９】
0006694573.tif 000020
【図２０】
0006694573.tif 000021